(57)【要約】  保護された作付環境において有益な虫またはダニを提供するのに好適なシステムが提供される。キャリアリボン（８）には、リボン上で持ち運びされる複数の小袋（１０）が提供される。各小袋は、虫またはダニが保護された作付環境において出現して分配されることができるように、有益な虫またはダニのための分配区画と、区画の１つのサイド上の少なくとも１つの出現穴（６）を含む。ケース中に設けられたシステムも、有益な虫を提供する方法も、そうするためのシステムの使用も、発明の一部である。
2015536153.tif 000002
【特許請求の範囲】
【請求項１】
保護された作付環境において有益な虫またはダニを提供するのに好適なシステムであって、キャリアリボンと、リボン上で持ち運びされる複数の小袋を含み、各小袋は、虫またはダニが保護された作付環境において出現して分配されることができるように、有益な虫またはダニのための分配区画と、区画の１つのサイド上の少なくとも１つの出現穴を含む、システム。
【請求項２】
各小袋は、実質的に平面状である、請求項１によるシステム。
【請求項３】
各小袋は、材料の少なくとも２つの帯を含み、その１つがもう１つの上に横たわり、それらのエッジにおいて一緒に密封されて、実質的に平面状の小袋を形成する、請求項２によるシステム。
【請求項４】
小袋は、予め決められた位置においてキャリアリボンに固定的に取り付けられている、請求項１−３のいずれか１つによるシステム。
【請求項５】
小袋は、キャリアリボンからつるされるように配置されている、請求項１−４のいずれか１つによるシステム。
【請求項６】
小袋は、一定の間隔を空けた配置でキャリアリボンに沿って配置されている、請求項１−５のいずれか１つによるシステム。
【請求項７】
小袋は、等間隔を空けた配置で配置されている、請求項６によるシステム。
【請求項８】
小袋の間隔は、１０ｃｍから９０ｃｍまでの範囲にあり、好ましくは７５ｃｍである、請求項７によるシステム。
【請求項９】
小袋の間隔の一定の繰り返しパターンを含む、請求項１−４のいずれか１つによるシステム。
【請求項１０】
小袋は、糊付け、溶接、縫合、熱処理、ステープリングの範囲の１つによってキャリアリボンに固定されている、請求項１−９のいずれか１つによるシステム。
【請求項１１】
少なくとも１つの出現穴は、キャリアリボンに隣接する区画の最上部分に位置している、請求項１−１０のいずれか１つによるシステム。
【請求項１２】
各小袋上の出現穴の数は２つであり、第１の出現穴と第２の出現穴からなる、請求項１−１１のいずれか１つによるシステム。
【請求項１３】
出現穴は、キャリアリボンから５〜３０ｍｍの範囲にある距離において位置している、請求項１１または１２によるシステム。
【請求項１４】
第２の出現穴は、区画の第１の出現穴と同じサイド上に、第１の出現穴の鏡像に対応する場所において位置しており、鏡ラインは、小袋の上方部分から下方部分まで垂直方向に小袋を二分するラインからなる、請求項１２または１３によるシステム。
【請求項１５】
第２の出現穴の場所は、小袋の反対のサイド面上で第１の出現穴の場所を鏡映しにする、請求項１２または１３によるシステム。
【請求項１６】
キャリアリボン上の第１の小袋は、有益な虫またはダニの第１のタイプを提供し、隣接する小袋は、有益な虫またはダニの第２のタイプを提供する、請求項１−１５のいずれか１つによるシステム。
【請求項１７】
キャリアリボン上の第１の小袋は、有益な虫またはダニを第１のフォーマットで提供し、隣接する小袋は、前記有益な虫またはダニを第２のフォーマットで提供する、請求項１−１６のいずれか１つによるシステム。
【請求項１８】
キャリアリボンは、ウェビング、織物、紙、ポリマー、生物分解性物の範囲から選ばれた１つの材料からなる、請求項１−１７のいずれか１つによるシステム。
【請求項１９】
小袋は、繊維、ＰＥ塗膜紙、帯材料の範囲から選ばれた１つの材料からなる、請求項１−１８のいずれか１つによるシステム。
【請求項２０】
キャリアリボンは、１０ｍから２００ｍの範囲にある長さのものである、請求項１−１９のいずれか１つによるシステム。
【請求項２１】
キャリアリボンは、長さが８０〜９０ｍの範囲にある長さのものである、請求項２０によるシステム。
【請求項２２】
キャリアリボンは、光がそれを通して透過することを許容する性質を有する材料からなる、透光性である、請求項１−２１のいずれか１つによるシステム。
【請求項２３】
キャリアリボンと小袋をロールされた配置で持ち運びし格納するためのドラムを更に含む、請求項１−２２のいずれか１つによるシステム。
【請求項２４】
保護された作付環境において有益な虫またはダニを提供するのに好適なシステムであって、キャリアリボンと、リボン上で持ち運びされる複数の小袋と、リボンのためのケースを含み、ケースは前面と、リボンを展開するための前面における開口部を有し、各小袋は、虫またはダニが保護された作付環境において出現して分配されることができるように、有益な虫またはダニのための分配区画と、区画の１つのサイド上の少なくとも１つの出現穴を含み、キャリアリボンは、ロールとして配置され、ケース内に収納されており、ロールの第１の端部が開口部においてアクセス可能である、システム。
【請求項２５】
複数のキャリアリボンが、ケース中に収容されている、請求項２４によるシステム。
【請求項２６】
ケース中のキャリアリボンの数は５個である、請求項２５によるシステム。
【請求項２７】
ケースは、上面、下面および６つのサイド面を有する六角形容器からなり、１つのサイド面が、それを通してキャリアリボンがアクセス可能であり展開されることができる開口部を含んでいる、請求項２４−２６のいずれか１つによるシステム。
【請求項２８】
キャリアリボンを、散水または緊急展開のための作物保護噴霧のために好適な移動ステーションに取り付けるための取り付けデバイスを更に含む、請求項２７によるシステム。
【請求項２９】
実質的に付随する図面を参照してこれ以前に記載された通りの、保護された作付環境において有益な虫またはダニを提供するのに好適なシステム。
【請求項３０】
請求項１−２９のいずれか１つによる、保護された作付環境において有益な虫またはダニを提供する方法。
【請求項３１】
保護された作付環境における有益な虫またはダニの提供のための、請求項１−２９のいずれか１つによるシステムの使用。
【発明の詳細な説明】
【技術分野】
【０００１】
本発明は、害虫駆除の分野におけるシステム、方法および装置に関し、特に、排他的にではないが、有益な虫またはダニの使用と前記有益な虫またはダニを分配するシステムに関する。
【背景技術】
【０００２】
田畑および保護された作付環境における植物害虫は、作物に顕著な損傷を引き起こし収穫を減らす。商業的な植物生育環境における作物の損失は望ましくなく高価であり、卸売り業者と消費者に引き渡されるコストを追加する。加えて、生育環境から損傷された作物を除去する追加のコストがしばしばかかる。
【０００３】
虫およびダニ害虫は、化学的殺虫剤によって駆除することができるが、消費者にとって望ましくない作物または生産物上の残る化学的残留物の理由からその効果はしばしば望ましくはない。加えて、化学的処置に抵抗する虫の発達が長期の使用と共に助長され得て、害虫の抵抗性系統でのダニ撲滅または作物処置についての更なる問題を引き起こす。
【０００４】
有益な虫およびダニを使って、化学的殺虫剤に対する害虫駆除の代替的な方法を提供することが知られている。一例はGB2393890であり、統合された作物および害虫管理プログラムの使用を記載している。
【０００５】
既存のシステムは、特定の問題害虫、例えばアザミウマ、に対して捕食性である捕食性ダニを提供する。ダニの提供は、一連の日のような時間スケールに渡って手動的にかまたは作物上に散布されるか、あるいは小袋(sachets)中に提供されて、長期間に渡って、例えば生育および作付期間に渡って、制御されたやり方で放出されるという、制御された放出のやり方である。
【０００６】
１つのタイプの既存の小袋システムがGB2393890に記載されているが、それらはサイズと重量が制限されたもので、システムをフィットさせて手動で実装するのは重労働であり得る。小袋は、植物上または生育中の植物の上のワイヤ上への小袋の個別配置のためのフックが設けられるが、フックは散水で濡れたものとなり得てうまく働かず、小袋が地面に落ちて、適用され作物に達するダニの可能性を無駄にし得る。配置は静的であり、植物の成長と共に変動せず、また拡張性に欠ける。
【発明の概要】
【０００７】
本発明は、保護された作付環境において有益な虫またはダニを提供するための新しいシステムを記載する。
【０００８】
本発明の第１の側面によると、保護された作付環境において有益な虫またはダニを提供するのに好適なシステムであって、キャリアリボンと、リボン上で持ち運びされる複数の小袋を含み、各小袋は、虫またはダニが保護された作付環境において出現して分配されることができるように、有益な虫またはダニのための分配区画と、区画の１つのサイド上の少なくとも１つの出現穴を含む、システムが提供される。リボンの帯上での小袋の提供は、有益なダニが、従来よりも大きなエリアに渡って、正確に、配送されることを許容する。
【０００９】
実施形態では、小袋は、実質的に平面状である。各小袋は、材料の少なくとも２つの帯を含み、その１つがもう１つの上に横たわり、それらのエッジにおいて一緒に密封されて、実質的に平面状の小袋を形成しても良い。ダニを含んだ小袋の平面性は、小袋が、保護された作付環境における配布の前の搬送および格納のためにキャリアリボンおよびお互いに対してコンパクトに包装されることを許容する。平面状の小袋のキャリアリボンに対して平らに畳まれる能力はまた、保護された作付環境における小袋、キャリアリボンおよび／または植物への損傷を回避する。
【００１０】
本発明の一実施形態では、小袋は、予め決められた位置においてキャリアリボンに固定的に取り付けられている。実施形態では、小袋は、キャリアリボンからつるされるように配置されている。小袋の配置は、有益なダニの支出における柔軟性を提供する一方で、システムの構造的一体性を保持し、それらが植物または作物中に位置するかそれから直接吊るされれば起こり得る小袋上の水損傷および磨耗を回避する。
【００１１】
小袋は、一定の間隔を空けた配置でキャリアリボンに沿って配置されることができ、等間隔を空けた配置で配置されることができる。小袋の正確な位置、間隔および配置は、
ダニのパフォーマンスと配布を最適化するようにシステムと作付環境と作物間隔によって要求される通りに設定されることができる。例として、一実施形態では、小袋の間隔は、１０ｃｍから９０ｃｍまでの範囲にあり、７５ｃｍで間隔を空けられても良い。一実施形態は、小袋の間隔の一定の繰り返しパターンを特長としても良い。発明の実施形態のシステムでは、小袋は、糊付け、溶接、縫合、熱処理、ステープリングの範囲の１つによってキャリアリボンに固定されている。これは、小袋とキャリアリボンの材料に好適となるように適応され微調整されることができる様々な固定技術を提供する。
【００１２】
好ましくは、キャリアリボンに隣接する区画の最上部分において各小袋上に位置する少なくとも１つの出現穴がある。各小袋上の出現穴の数が２つであるところでは、小袋は、第１の出現穴と第２の出現穴からなる。好ましくは、出現穴は、キャリアリボンから５〜３０ｍｍの範囲にある距離において位置している。キャリアリボンに最も近い部分において小袋上で上に高く出現穴を位置させることは、小袋からの虫またはダニの退出を容易にして、各小袋からの虫またはダニの出力カウントを向上するということが見出されている。
【００１３】
２つの出現穴がある本発明の一実施形態では、第２の出現穴は、区画の第１の出現穴と同じサイド上に、第１の出現穴の鏡像に対応する場所において位置しており、鏡ラインは、小袋の上方部分から下方部分まで垂直方向に小袋を二分するラインからなる。代替的に、本発明の別の実施形態では、第２の出現穴の場所は、小袋の反対のサイド面上で第１の出現穴の場所を鏡映しにする。
【００１４】
第２の出現穴の位置が第１の出現穴の鏡像である出現穴の構成は、保護された作付環境において生育された作物が、高湿度で丈夫に育つもの、例えば胡瓜、である場合に、小袋からの虫またはダニの出力を向上するということが見出されている。
【００１５】
一実施形態では、特定の害虫または害虫の混合と格闘して対処するように、様々な異なるタイプのダニ、またはダニの交番するパターンを提供することが有用であり得て、キャリアリボン上の第１の小袋は、有益な虫またはダニの第１のタイプを提供し、隣接する小袋は、有益な虫またはダニの第２のタイプを提供する。このようにして、システムの実施形態は、有益な虫またはダニを第１のフォーマットで提供するキャリアリボン上の第１の小袋と、前記有益な虫またはダニを第２のフォーマットで提供する隣接する小袋を含むことができる。
【００１６】
実施形態のキャリアリボンは、ウェビング、織物、紙、ポリマー、生物分解性物の範囲から選ばれた１つの材料からなる。材料は、作付サイクルを通じて生き残って使われ、もし必要なら再度使われるように、耐水性で長持ちであることができる。好適な材料は、作付環境内での取り扱いと操作の容易さのために、防水であって、軽量であることができる。実施形態では、小袋は、繊維、ＰＥ塗膜紙、帯材料の範囲から選ばれた１つの材料からなる。このようにして、材料は、作付環境へのその好適さのために選ばれる。一実施形態でのキャリアリボンは、１０ｍから２００ｍの範囲にある長さのものである。長さで８０〜９０ｍの範囲もまた実施形態において記載される。リボンの長い長さは、作物または植物のラインの長さとの使用に適切である。リボンの適切な長さは、特に、例えばグリーンハウスまたはポリトンネルにために選ばれる。リボンは、作物の生育と発展を妨げるべきではなく、でしゃばらずに、それの使用、維持および作業が容易であるべきである。一実施形態では、キャリアリボンは、光がそれを通して透過することを許容する性質を有する材料からなる、透光性である。このようにして、作物とそれらが作物上にある時の有益なダニに届く光には制約がなく、よって生育を助けて妨害しないようにする。
【００１７】
実施形態におけるドラムは、キャリアリボンと小袋をロールされた配置で持ち運びし格納し、これは、使用に供されるに先立ってのキャリアリボンと小袋への損傷と摩耗を削減するのを助け、使用していない時にシステムを効率的に格納する手段を提供する。
ロールはまた、小袋中の有益なダニを保護するようにドラムの周りのキャリアリボンの各全体的巻回を許容し、例えば、温度変化と変動を和らげることによって、正しい予め展開された環境およびスタットにそれらを維持することを補助する。実効的には、ロール中の各小袋は、重複しておりキャリアリボンの追加の層に包まれている。
【００１８】
本発明の第２の側面によると、保護された作付環境において有益な虫またはダニを提供するのに好適なシステムであって、キャリアリボンと、リボン上で持ち運びされる複数の小袋と、リボンのためのケースを含み、ケースは前面と、リボンを展開するための前面における開口部を有し、各小袋は、虫またはダニが保護された作付環境において出現して分配されることができるように、有益な虫またはダニのための分配区画と、区画の１つのサイド上の少なくとも１つの出現穴を含み、キャリアリボンは、ロールとして配置され、ケース内に収納されており、ロールの第１の端部が開口部においてアクセス可能である、システムが提供される。実施形態におけるケースとドラムの提供は、例えばケースが積み重ねられるべきシステムを保持することを許容して、格納と貯蔵を補助する。
【００１９】
一実施形態では、作物の複数のラインが想定され、作物の各ラインが異なるリボンによって対処され得るように、複数のキャリアリボン、５個が、ケース中に収容されている。この例では、各キャリアリボンは、異なるラインのために分配され、小袋の各リボンは、１つの特定のラインにおける作物に最適化され仕立てられることができる。
【００２０】
一実施形態についてのケースは、上面、下面および６つのサイド面を有する六角形容器であり、１つのサイド面が、それを通してキャリアリボンがアクセス可能であり展開されることができる開口部を含んでいる。六角形構造は、スペースを節約し、格納において効率的であり、それを通してキャリアリボンがアクセスされて展開される開口部へのアクセスの容易さのために、その６つのサイト面の１つ上に立つように配置されることができる。一実施形態では、キャリアリボンを、散水または緊急展開のための作物保護噴霧のために好適な移動ステーションに取り付けるための手段がある。移動ステーションは、処置されるべき作物に渡ってキャリアリボンと小袋を展開して提示するための二次的機能として、動き回されて使われることができる。
【００２１】
本発明の第３の側面によると、上で提示された通りのシステムで、保護された作付環境において有益な虫またはダニを提供する方法が提供される。加えて、そのようなシステムの使用が、本発明の更なる側面である。
【００２２】
保護された作付環境という用語は、ポリトンネル、格納庫(sheds)、グリーンハウス、ガラスハウス、コールドフレーム、プラスチックトンネルまたはガラス覆い(cloches)などの様々な室内生育スペースを記載するのに使われるようにデザインされている。発明のシステムはまた、田畑のような室外シナリオにおいて使われることもできる。
【００２３】
リボンという用語は、材料の帯を指し、あらゆる形状またはサイズであっても良い。典型的には、帯は長方形であり、少なくとも１つの小袋を収納するのに十分な長さを有する。
【００２４】
小袋(sachet)という用語は、当該技術分野で周知のものである。小袋は、有益なダニおよび食料源で満たされるかまたは部分的に満たされることができる容量を有した区画からなる。有益な虫またはダニが出現できるために、出現穴が、区画の１つのサイド上に設けられている。１つより多くの区画があっても良く、各区画は、必要あれば、虫またはダニの１つより多くの種を有していても良い、ことが想定されている。小袋製造の１つの方法が、GB2393890に記載されている。
【００２５】
ここで発明が、付随する図面を参照して、例だけとして、より詳細に記載される。
【図面の簡単な説明】
【００２６】
【図１Ａ】図１Ａは、本発明のシステムで使われる小袋の正面図である。
【図１Ｂ】図１Ｂは、代替的な実施形態による、本発明のシステムで使われる小袋の正面図である。
【図２】図２は、第１の構成における本発明のシステムの斜視図である。
【図３Ａ】図３Ａは、第２の側面による、本発明のシステムの斜視図である。
【図３Ｂ】図３Ｂは、図３Ａの部分図である。
【図４】図４は、第２の側面による本発明のシステムの代替的な実施形態の斜視図である。
【図５】図５は、代替的な実施形態による、本発明のシステムで使われる小袋の正面図である。
【発明を実施するための形態】
【００２７】
保護された作付環境において有益な虫またはダニを提供するのに好適な本発明のシステムが、ここで図１Ａ、１Ｂおよび２を参照して記載される。
【００２８】
システムは、全体的に長方形形状の小袋１０からなる。小袋１０は、密封された境界４によって境界付けられた区画２からなる。小袋は共通して、近似的に同じサイズの材料の少なくとも２つの帯からなり、その１つがもう１つの上に横たわり、それらのエッジにおいて一緒に密封されている。
【００２９】
有益な虫またはダニは、小袋１０内に収納される。
【００３０】
出現穴６が、有益なダニが小袋から退出して分配されることができるように、小袋１０に設けられる。
【００３１】
実施形態の小袋１０の寸法は、５０ｍｍの幅と、１６０ｍｍの長さＤ１である。小袋区画２の容量は４０ｍｌであり、およそ２０ｍｌのダニ容量をもつ。別のシナリオでは、小袋のサイズは、４０〜７０ｍｍの幅と、８０〜１２０ｍｍの長さＤ１であり、区画２の容量は、例えば５〜４０ｍｌに変えられても良く、小袋とシステムの幅は、作付環境における植物の列と間隔に依存して変えられても良い。図１Ａでは、出現穴６は、小袋１０の上部左部分に位置しており、出現穴６は、キャリアリボン８に隣接する密封された境界４から距離Ｄ２である。図１Ａに描かれた実施形態では、Ｄ２は２３ｍｍである。その他のシナリオでは、キャリアリボン８に隣接する密封された境界４からの出現穴６の距離Ｄ２は、例えば５〜３０ｍｍに変えられても良い。図１Ｂでは、出現穴６は、キャリアリボン８に隣接する密封された境界４から５ｍｍの距離Ｄ２離れたところにおいて、小袋１０の上部中央部分に位置する。
【００３２】
システムは更に、小袋１０の幅のそれと等しいかまたは近似的に等しい幅（Ａ−Ａ）を有するキャリアリボン８からなる。背面ウェブが設けられても良い。複数の小袋１０が、接合、糊付けまたはその他の手段によってキャリアリボン８に、固定点１２において取り付けられる。図２を参照すると、展開されたシステムでは、小袋はキャリアリボン８からぶら下げられてつるされる。
【００３３】
固定点１２は、それらがリボン８よりも強くて分厚く、よってリボン８単独よりも大きな剛性と構造的サポートを提供するようになっている。
【００３４】
本発明の更なる側面が、ここで図３Ａおよび３Ｂとケース１４を参照して記載される。格納と展開のために、キャリアリボン８はロールに形成され、ドラムまたはスピンドル２０上に装填される。リボン８は、ケース１４内に収納され、ケース１４は、上面、下面および６つのサイド面を有する六角形容器からなり、１つのサイド面が、それを通してキャリアリボン８がアクセス可能であり展開されることができる開口部１６を含んでいる。
【００３５】
図４に描かれた、代替的な実施形態では、キャリアリボン８と小袋１０の複数のラインがある。図４では５つのラインが描かれ、各ライン（８ａ、８ｂ、…）は、容器およびケース１４のサイド面においてそれ自体の開口部（１６ａ、１６ｂ、…）から出現する。
【００３６】
複数のラインは、幅広い作付環境に跨って作物を処置して分配するために提供されている。ロールされた配置は、小袋１０のための換気を提供する。
【００３７】
複数のラインの全体は、同一の形状、サイズおよび向きのフォーマットのものであっても良く、１つ以上のラインが異なっていても良い。図４では、同じまたは同一フォーマットを有する３つのラインが示され、２つのラインは概略的に異なるフォーマットを有するように示されている。
【００３８】
使用においては、キャリアリボン８が開口部からアクセスされて、作付環境に跨って配布される。それは散水装置またはその他の配布のための自動化手段に取り付けられることができる。
【００３９】
図５に描かれた、本発明の代替的な実施形態では、各小袋１０上に２つの出現穴６がある。出現穴６は、キャリアリボンに隣接する密封された境界４から距離Ｄ３における区画の最上部分において区画の同じサイド上に位置する。図５に描かれた実施形態では、Ｄ３は２３ｍｍである。その他のシナリオでは、キャリアリボン８に隣接する密封された境界４からの出現穴６の距離は、例えば５〜３０ｍｍの間の距離に変えられても良い。第２の出現穴の位置は、第１の出現穴の鏡像であり、ここで鏡ラインＭは、垂直方向に小袋を二分するラインからなる。（破線で示された）別の実施形態では、第２の出現穴の位置は、小袋の反対のサイド面上で第１の出現穴の鏡像である。
【００４０】
小袋システムの実施例は、捕食ダニAmblyseius swirskii (Athias-Henriot)
をもつものである。約２５０の捕食者が小袋中に存在し、それらは人工的餌食ダニSuidasia medanensis Oudemans上で維持され、それ自体はぬかおよび酵母粉末に基づいたマトリクス上で養われ繁殖されている。マトリクスと生体ダニの混合は、およそ２０ｍｌの容量であり、小袋の総容量はおよそ４０ｍｌである。捕食ダニのこの特定のフォーマットは、胡瓜、ピーマンのような商業的作物や、菊のような鑑賞植物における、コナジラミおよびアザミウマ寄生を制御するのに典型的に使われる。典型的な生育条件下では、捕食ダニは、人工的餌食ダニ上で養われ繁殖され、ローカルな条件に依存して、３〜６週間の期間に渡って作物中に徐々に接種される。生育、繁殖および維持のための好適な条件があれば、小袋中に置かれた捕食ダニの元々の数の４倍までもが、出現穴を通して小袋から最終的に退出して、作物中に接種され得る。
【００４１】
本発明の範囲から逸脱することなく、様々な変形が記載された実施形態になされても良い。異なる数のリボンまたは小袋があっても良い。部分または小袋区画は変えられても、異なるように配置されても良い。ダニまたはダニの組み合わせについてのその他のオプションが使われても良く、システム中の同じダニまたは１つ以上のダニが考えられることができ、それらは同じ小袋中でかまたはリボンに沿って異なる小袋中に展開され、帯に沿って交番されても良い。これは、作付サイクルにおいてかまたは害虫駆除サイクルにおいて、異なる時に出現する異なる有益なダニでもって異なる処置プランが画策されることができること意味する。ドラムおよびケースのサイズと形状は、展開方法と同様に、変えられても良い。構築の材料は、変えられるかまたは変更されても良い。過酷な条件においてかまたは攻撃的な害虫については、材料選択についてのその他の代替形が要求されても良い。１つより多くのリボンまたは１つより多くのケースが使われても良く、あらゆる数のサポート手段が想定されても良い。
【００４２】
円形または正方形の形状のような、小袋の構築の代替的な形が考えられても良い。バージョンは、要求された通り特定の作付環境について小袋のないリボンの領域を含むことができる。
【図１Ａ】
2015536153.tif 000003
【図１Ｂ】
2015536153.tif 000004
【図２】
2015536153.tif 000005
【図３Ａ】
2015536153.tif 000006
【図３Ｂ】
2015536153.tif 000007
【図４】
2015536153.tif 000008
【図５】
2015536153.tif 000009
【国際調査報告】
2015536153.tif 000010
2015536153.tif 000011
2015536153.tif 000012
2015536153.tif 000013